(57)【要約】    【課題】  従来、乾燥圧縮成形牧草塊を連続的に大量に切断する設備が無いため、乾燥圧縮成形牧草塊を手作業で解し、切断するなどして多大な手間暇をかけている実情である。    【解決手段】  本発明は、乾燥圧縮成形牧草塊Ａの搬送用コンベア１と、縦割目付け用突棒２ｂを装着した縦方向割目付け手段２と、横方向切断用チェンソー３ａを装着した横方向切断手段３と、縦方向切断用チェンソー４ａを装着した縦方向切断手段４と、掻き上げ部５ａを有した掻き上げ手段５と、解し機６ａを有した解し手段６と、乾燥牧草移送コンベア７と、自動供給手段８と、濃厚飼料供給手段９と、細断乾燥牧草入り配合飼料にする混合手段１０と、細断乾燥牧草入り配合飼料に添加材を噴霧するコーティング手段１１と、トランスバッグ１２ａに収納させる細断乾燥牧草入り配合飼料収納手段１２とを備えた。    【選択図】  図１
2005295823.tif 000002
【特許請求の範囲】
【請求項１】
茎軸方向を略揃えた多数の長軸乾燥牧草を立方体状に乾燥圧縮成形し略一定の長さに切断した乾燥圧縮成形牧草塊と、該複数の乾燥圧縮成形牧草塊の茎軸方向を進行方向に直角に且つ搬送方向に一列に乗載搬送させるための搬送用コンベアと、該搬送用コンベアで搬送される乾燥圧縮成形牧草塊の上方から縦方向に所定間隔に割れ目を入れるための上下方向に進退する少なくとも１本の縦割目付け用突棒を装着した縦方向割目付け手段と、該縦方向割目付け手段で縦方向に所定間隔に割れ目を入れた乾燥圧縮成形牧草塊の横方向を略等巾に切断する横方向切断用チェンソーを装着した少なくとも１台の横方向切断手段と、該横方向切断手段で切断された乾燥圧縮成形牧草塊を前記搬送用コンベアの搬送方向の末端に配設した縦方向を切断する複数の縦方向切断用チェンソーを装着した縦方向切断手段と、該縦方向切断手段で細断された乾燥圧縮成形牧草小塊を崩しながら掻き上げる複数の掻き上げ部を有した掻き上げ手段と、該掻き上げ手段で崩しきれない又は解しきれない乾燥圧縮成形牧草小塊を細断乾燥牧草に解すための解し機を有した解し手段と、該解し手段で解した細断乾燥牧草を移送する乾燥牧草移送コンベアと、該乾燥牧草移送コンベアで移送された細断乾燥牧草を定量供給する自動供給手段と、該自動供給手段で供給された定量の細断乾燥牧草に濃厚飼料を混入させる濃厚飼料供給手段と、該濃厚飼料供給手段で供給された濃厚飼料と前記定量供給される細断乾燥牧草とを混合させて細断乾燥牧草入り配合飼料にする混合手段と、該混合手段に接続して細断乾燥牧草入り配合飼料に飼料銘柄ごとに予め定められた糖蜜等の添加材を噴霧してコーティングするコーティング手段と、前記混合手段から排出される細断乾燥牧草入り配合飼料をトランスバッグに収納させる細断乾燥牧草入り配合飼料収納手段とを備えたことを特徴とする細断乾燥牧草入り配合飼料製造システム。
【請求項２】
茎軸方向を略揃えた多数の長軸乾燥牧草を立方体状に圧縮成形し略一定の長さに切断された複数の乾燥圧縮成形牧草塊の茎軸方向を移送方向に直角に且つ搬送方向に一列で搬送するための搬送用コンベアに乗載させる搬送用コンベア乗載工程と、該搬送用コンベア乗載工程で乗載させた乾燥圧縮成形牧草塊の上方から縦方向に所定間隔に割れ目を入れる縦方向割目付け工程と、該縦方向割目付け工程で縦方向に割れ目を入れた乾燥圧縮成形牧草塊の横方向を略等巾に切断する横方向切断工程と、該横方向切断工程で切断した乾燥圧縮成形牧草塊を搬送用コンベアの末端で縦方向に切断する縦方向切断工程と、該縦方向切断工程で切断した乾燥圧縮成形牧草小塊を崩しながら掻き上げる掻き上げ工程と、該掻き上げ工程で崩しきれない又は解しきれない乾燥圧縮成形牧草小塊を細断乾燥牧草に解す工程と、該細断乾燥牧草に解す工程で解した細断乾燥牧草を定量供給する自動供給工程と、該自動供給工程で定量供給した細断乾燥牧草に濃厚飼料を混入させる濃厚飼料供給工程と、該濃厚飼料供給工程で供給した濃厚飼料と前記定量供給される細断乾燥牧草とを混合させると共に混合中に飼料銘柄ごとに予め定められた糖蜜等の添加材を噴霧して細断乾燥牧草入り配合飼料にコーティングする混合コーティング工程と、該混合コーティング工程で混合コーティングされた細断乾燥牧草入り配合飼料をトランスバッグに収納させる細断乾燥牧草入り配合飼料収納工程とを経ることを特徴とする細断乾燥牧草入り配合飼料製造方法。
【発明の詳細な説明】
【技術分野】
【０００１】
本発明は細断乾燥牧草入り配合飼料製造システムと細断乾燥牧草入り配合飼料製造方法に関するものであり、更に、詳細には、茎軸方向を略揃えた多数の長軸乾燥牧草を立方体状に圧縮成形した乾燥圧縮成形牧草塊を切断すると共に、解して細断された細断乾燥牧草とし、細断乾燥牧草に濃厚飼料を混合させ家畜用（乳牛、肉牛等）の細断乾燥牧草入り配合飼料にし、細断乾燥牧草入り配合飼料を一定量づつトランスバッグに収納させて家畜用飼料とする細断乾燥牧草入り配合飼料製造システムと細断乾燥牧草入り配合飼料製造方法に関するものである。
【背景技術】
【０００２】
従来から、牛に給与される飼料は乾燥牧草と穀類の濃厚飼料とが有り、夫々の飼料を別々に給与する畜産家が多く、乾燥牧草と濃厚飼料とを夫々一日に４〜６回給与しているが、濃厚飼料のみを一時に沢山給与してしまうと、家畜つまり牛の第一胃内のＰＨが急激に低下して、乾物摂取量の低下を招くため乾燥牧草と濃厚飼料とを同時に供与することが望ましものである。
【０００３】
然し乍ら、乾燥圧縮成形牧草塊を連続的に大量に切断する設備が無いため、畜産家では濃厚飼料をバルクで購入し、これと粗飼料の乾燥牧草を別々に一日数回手間をかけて給餌していることが多く、その都度、固結している乾燥圧縮成形牧草塊を手作業で解し、手鎌や小型の往復動の切断刃が往復する方式の切断機などを用いて適宜切断するなどして多大な手間暇をかけている実情であり、更には、切断した乾燥牧草と穀類の濃厚飼料とを庭先等に設置したミキサー等で混合している畜産家も居るが、飼料の分離防止と牛の嗜好性を考慮して糖蜜等の液体成分を添加しており、それによる餌槽内で腐敗も屡々発生している。
【０００４】
又、先にこの種の細断解体装置として開示されている、粗飼料を円柱形状に巻回して形成したロールベールを積載してその円周方向に転動させる転動手段と、ロールベール表面の母線方向に沿って移動する横移動刃と、ロールベールの表面円周面の特定位置でロールベールの母線方向と平行な回転軸を有し、この回転軸により回転する縦回転刃と、からなり、上記転動手段により転動するロールベールを、その円柱面外周から上記横移動刃及び縦回転刃により順次細断して解体するもの（特許文献１参照）がある。
【特許文献１】特開平５−７６２４０号公報
【発明の開示】
【発明が解決しようとする課題】
【０００５】
然し乍ら、先に開示された、粗飼料を円柱形状に巻回して形成したロールベールを積載してその円周方向に転動させる転動手段と、ロールベール表面の母線方向に沿って移動する横移動刃と、ロールベールの表面円周面の特定位置でロールベールの母線方向と平行な回転軸を有し、この回転軸により回転する縦回転刃と、からなり、上記転動手段により転動するロールベールを、その円柱面外周から上記横移動刃及び縦回転刃により順次細断して解体するものでは、ロールベールの細断は可能であるけれども、立方体状の乾燥圧縮成形牧草塊の細断は構造上不可能なものである。
【課題を解決するための手段】
【０００６】
本発明の請求項１に記載の細断乾燥牧草入り配合飼料製造システムは、前述の課題に鑑み、鋭意研鑽の結果、多数の長軸乾燥牧草を圧縮成形した乾燥圧縮成形牧草塊と、乾燥圧縮成形牧草塊を一列に乗載させ搬送するための搬送用コンベアと、搬送用コンベアで搬送される乾燥圧縮成形牧草塊に割れ目を入れるための縦割目付け用突棒を装着した縦方向割目付け手段と、縦方向割目付け手段で割れ目を入れた乾燥圧縮成形牧草塊の横方向を切断する横方向切断用チェンソーを装着した横方向切断手段と、横方向切断手段で切断された乾燥圧縮成形牧草塊の縦方向を切断する縦方向切断用チェンソーを装着した縦方向切断手段と、縦方向切断手段で切断された乾燥圧縮成形牧草小塊を崩しながら掻き上げる掻き上げ部を有した掻き上げ手段と、掻き上げ手段で崩しきれない又は解しきれない乾燥圧縮成形牧草小塊を細断乾燥牧草に解すための解し機を有した解し手段と、解し手段で解した細断乾燥牧草を移送する乾燥牧草移送コンベアと、乾燥牧草移送コンベアで移送された細断乾燥牧草を供給する自動供給手段と、自動供給手段で供給された細断乾燥牧草に濃厚飼料を混入させる濃厚飼料供給手段と、濃厚飼料供給手段で供給された濃厚飼料と細断乾燥牧草とを混合させて細断乾燥牧草入り配合飼料にする混合手段と、混合手段に接続して細断乾燥牧草入り配合飼料に糖蜜等の添加材を噴霧してコーティングするコーティング手段と、混合手段から排出される細断乾燥牧草入り配合飼料をトランスバッグに収納させる細断乾燥牧草入り配合飼料収納手段とを備えたものである。
【０００７】
更に、本発明の請求項２に記載の細断乾燥牧草入り配合飼料製造方法は、多数の長軸乾燥牧草を圧縮成形した複数の乾燥圧縮成形牧草塊を一列で搬送する搬送用コンベアに乗載させる搬送用コンベア乗載工程と、搬送用コンベア乗載工程で乗載させた乾燥圧縮成形牧草塊の縦方向に割れ目を入れる縦方向割目付け工程と、縦方向割目付け工程で縦方向に割れ目を入れた乾燥圧縮成形牧草塊の横方向を切断する横方向切断工程と、横方向切断工程で切断した乾燥圧縮成形牧草塊の縦方向を切断する縦方向切断工程と、縦方向切断工程で切断した乾燥圧縮成形牧草小塊を掻き上げる掻き上げ工程と、掻き上げ工程で掻き上げた乾燥圧縮成形牧草小塊を細断乾燥牧草に解す工程と、細断乾燥牧草に解す工程で解した細断乾燥牧草を定量供給する自動供給工程と、自動供給工程で定量供給した細断乾燥牧草に濃厚飼料を混入させる濃厚飼料供給工程と、濃厚飼料供給工程で供給した濃厚飼料と定量供給される細断乾燥牧草とを混合させると共に混合中に糖蜜等の添加材を噴霧して細断乾燥牧草入り配合飼料にコーティングする混合コーティング工程と、混合コーティング工程で混合コーティングされた細断乾燥牧草入り配合飼料をトランスバッグに収納させる乾燥牧草入り配合飼料収納工程とを経るものである。
【発明の効果】
【０００８】
本発明の細断乾燥牧草入り配合飼料製造システムと細断乾燥牧草入り配合飼料製造方法は、多数の長軸乾燥牧草を乾燥圧縮成形した乾燥圧縮成形牧草塊を搬送する搬送用コンベアの上で縦方向に所定間隔に割れ目を入れ、次に、横方向を切断して、更に、縦方向を切断して出来る乾燥圧縮成形牧草小塊を崩しながら掻き上げ、更には、細断乾燥牧草に解すことから、細断された細断乾燥牧草と成り、細断乾燥牧草を自動供給して濃厚飼料を混入混合させると共に糖蜜等をコーティングしてトランスバッグに収納させることから、畜産家はトランスバッグを開封してその都度必要量の細断乾燥牧草入り配合飼料を家畜に給与するもので、細断乾燥牧草入り配合飼料を作るための過酷な労働や時間から解放され、加えて、家畜の健康管理上も優れたもので、画期的で極めて実用性の高い発明である。
【発明を実施するための最良の形態】
【０００９】
本発明は細断乾燥牧草入り配合飼料製造システムと細断乾燥牧草入り配合飼料製造方法に関するものであり、更に、詳細には、茎軸方向を略揃えた多数の長軸乾燥牧草を立方体状に圧縮成形した乾燥圧縮成形牧草塊を切断すると共に、解して細断乾燥牧草とし、細断乾燥牧草に濃厚飼料を混合させ家畜用（乳牛、肉牛等）の細断乾燥牧草入り配合飼料にし、細断乾燥牧草入り配合飼料を一定量づつトランスバッグに収納させて家畜用飼料とする細断乾燥牧草入り配合飼料製造システムと細断乾燥牧草入り配合飼料製造方法に関するものであり、請求項１に記載の細断乾燥牧草入り配合飼料製造システムは、茎軸方向を略揃えた多数の長軸乾燥牧草を立方体状に圧縮成形し略一定の長さに切断された乾燥圧縮成形牧草塊Ａと、該複数の乾燥圧縮成形牧草塊Ａの茎軸方向を進行方向に直角に且つ搬送方向に一列に乗載搬送させるための搬送用コンベア１と、該搬送用コンベア１で搬送される乾燥圧縮成形牧草塊Ａの上方から縦方向に所定間隔に割れ目を入れるための上下方向に進退する少なくとも１本の縦割目付け用突棒２ａを装着した縦方向割目付け手段２と、該縦方向割目付け手段２で縦方向に所定間隔に割れ目を入れた乾燥圧縮成形牧草塊Ａの横方向を略等巾に切断する横方向切断用チェンソー３ａを装着した少なくとも１台の横方向切断手段３と、該横方向切断手段３で切断された乾燥圧縮成形牧草塊Ａを前記搬送用コンベア１の搬送方向の末端に配設した縦方向を切断する複数の縦方向切断用チェンソー４ａを装着した縦方向切断手段４と、該縦方向切断手段４で細断された乾燥圧縮成形牧草小塊Ａａを崩しながら掻き上げる複数の掻き上げ部５ａを有した掻き上げ手段５と、該掻き上げ手段５で崩しきれない又は解しきれない乾燥圧縮成形牧草小塊Ａａを細断乾燥牧草Ａｂに解すための解し機６ａを有した解し手段６と、該解し手段６で解した細断乾燥牧草Ａｂを移送する乾燥牧草移送コンベア７と、該乾燥牧草移送コンベア７で移送された細断乾燥牧草Ａｂを定量供給する自動供給手段８と、該自動供給手段８で供給された定量の細断乾燥牧草Ａｂに濃厚飼料を混入させる濃厚飼料供給手段９と、該濃厚飼料供給手段９で供給された濃厚飼料と前記定量供給される細断乾燥牧草Ａｂとを混合させて細断乾燥牧草入り配合飼料にする混合手段１０と、該混合手段１０に接続して細断乾燥牧草入り配合飼料に飼料銘柄ごとに予め定められた糖蜜等の添加材を噴霧してコーティングするコーティング手段１１と、前記混合手段１０から排出される細断乾燥牧草入り配合飼料をトランスバッグ１２ａに収納させる細断乾燥牧草入り配合飼料収納手段１２とを備えたものである。
【００１０】
更に、請求項２に記載の細断乾燥牧草入り配合飼料製造方法は、茎軸方向を略揃えた多数の長軸乾燥牧草を立方体状に圧縮成形し略一定の長さに切断された複数の乾燥圧縮成形牧草塊Ａの茎軸方向を進行方向に直角に且つ搬送方向に一列で搬送するための搬送用コンベア１に乗載させる搬送用コンベア乗載工程と、該搬送用コンベア乗載工程で乗載させた乾燥圧縮成形牧草塊Ａの上方から縦方向に所定間隔に割れ目が入った縦方向割目付け工程と、該縦方向割目付け工程で縦方向に割れ目を入れた乾燥圧縮成形牧草塊Ａの横方向を略等巾に切断する横方向切断工程と、該横方向切断工程で切断した乾燥圧縮成形牧草塊Ａを搬送用コンベア１の末端で縦方向に切断する縦方向切断工程と、該縦方向切断工程で切断した乾燥圧縮成形牧草小塊Ａａを崩しながら掻き上げる掻き上げ工程と該掻き上げ工程で崩しきれない又は解しきれない乾燥圧縮成形牧草小塊Ａａを細断乾燥牧草Ａｂに解す工程と、該細断乾燥牧草Ａｂに解す工程で解した細断乾燥牧草Ａｂを定量供給する自動供給工程と、該自動供給工程で定量供給した細断乾燥牧草Ａｂに濃厚飼料を混入させる濃厚飼料供給工程と、該濃厚飼料供給工程で供給した濃厚飼料と前記定量供給される細断乾燥牧草Ａｂとを混合させると共に混合中に飼料銘柄ごとに予め定められた糖蜜等の添加材を噴霧して細断乾燥牧草入り配合飼料にコーティングする混合コーティング工程と、該混合コーティング工程で混合コーティングされた細断乾燥牧草入り配合飼料をトランスバッグ１２ａに収納させる細断乾燥牧草入り配合飼料収納工程とを経るものである。
【実施例】
【００１１】
以下、本発明の細断乾燥牧草入り配合飼料製造システムと細断乾燥牧草入り配合飼料製造方法をの実施例の図面を用いて詳細に説明すると、図１は本発明の細断乾燥牧草入り配合飼料製造システムと細断乾燥牧草入り配合飼料製造方法の実施例の概要を説明するための概要説明図であり、図２は本発明の細断乾燥牧草入り配合飼料製造システムと細断乾燥牧草入り配合飼料製造方法の実施例の縦方向割目付け手段及び縦方向割目付け工程を説明するための概要説明図であり、図３は本発明の細断乾燥牧草入り配合飼料製造システムと細断乾燥牧草入り配合飼料製造方法の実施例の横方向切断手段及び横方向切断工程を説明するための概要説明図であり、図４は本発明の細断乾燥牧草入り配合飼料製造システムと細断乾燥牧草入り配合飼料製造方法の実施例の掻き上げ手段と解し手段及び掻き上げ工程と解す工程とを説明するための概要説明図である。
【００１２】
即ち、本発明の細断乾燥牧草入り配合飼料製造システムの乾燥圧縮成形牧草塊Ａは、主に、アメリカ、カナダ、オーストラリア等で牛の飼料となる稲科の長軸植物等を乾燥させて乾燥牧草とすると共に、その乾燥牧草の茎軸方向を略揃えて立方体状に圧縮成型し、略長さを揃えて切断し、例えば、４３０ｍｍ×３００ｍｍ×５６０ｍｍ程度の立方体状にして、簡易に結束帯で緊縛したもので、牛の飼料としての乾燥牧草を大量に移送、貯蔵する等に有効なものである。
【００１３】
そして、搬送用コンベア１はベルトコンベアでもローラーコンベアでも構わないもので、複数の乾燥圧縮成形牧草塊Ａを一列に乗載させ搬送させるもので、後述する縦方向割目付け手段２により所定間隔に割れ目を入れるため一定間隔で間歇搬送するものが好適であり、搬送用コンベア１の上に複数の乾燥圧縮成形牧草塊Ａの茎軸方向を搬送用コンベア１の進行方向に直角に順次乗載させるもので、つまり、乾燥圧縮成形牧草塊Ａの製造で生じる茎軸方向を搬送用コンベア１の進行方向に直角に向けると共に、乾燥圧縮成形牧草塊Ａが緊縛されている結束帯は切断して取り外すものである。
【００１４】
次に、縦方向割目付け手段２は、図２に図示する如く、搬送用コンベア１で搬送又は間歇搬送される乾燥圧縮成形牧草塊Ａの上方から縦方向に所定間隔例えば３０ｍｍ間隔程度に割れ目を入れるもので、後述する細断を容易にするためのものであり、直径が２５ｍｍ程度の先端を鋭角にした縦割目付け用突棒２ａを高速エアシリンダ２ｂ等に装着させ上下方向に進退させるものであり、例えば、前記乾燥圧縮成形牧草塊Ａを４３０ｍｍ×３００ｍｍ×３０ｍｍ程度の薄板状に割目を付けるもので、縦割目付け用突棒２ａは１本を基本として乾燥圧縮成形牧草塊Ａの種類によっては複数本を巾方向に並設することが望ましいものである。
【００１５】
次いで、横方向切断手段３は縦方向割目付け手段２で縦方向に割れ目を入れた乾燥圧縮成形牧草塊Ａの横方向を略等巾に切断するもので、図３に図示する如く、実施例では、上下方向を３段に略等巾に切断しており、２組の横方向切断用チェンソー３ａを装着した横方向切断手段３を配設しており、横方向切断手段３の横方向切断用チェンソー３ａは横方向切断用駆動用モーター３ｂで駆動させて搬送用コンベア１で搬送される乾燥圧縮成形牧草塊Ａの横方向を略等巾の３段に切断するものであり、ここでの搬送用コンベア１は後述する縦方向切断手段４の搬送用コンベア１共にローラーの周囲に滑り止めの突起又は突条を突設したローラーコンベアが好適なものである。
【００１６】
更に、縦方向切断手段４は、図４に図示する如く、上方に駆動源である縦方向切断用駆動モーター４ｂの回転軸とエンドレスベルト４ｃ
等で機械的に接続された上方回転軸４ｄを配設し、下方に下方回転軸４ｅを配設し、夫々の回転軸４ｄ．４ｅの間に等間隔に複数の縦方向切断用チェンソー４ａを装着したもので、横方向切断手段３で切断された乾燥圧縮成形牧草塊Ａの縦方向を複数に切断するもので、つまり、複数の縦方向切断用チェンソー４ａで搬送用コンベア１の搬送方向に沿って切断するものであり、搬送用コンベア１と縦方向切断手段４との下方の間には搬送方向に下る滑り台１３を設けており、該滑り台１３は乾燥圧縮成形牧草塊Ａの縦方向切断手段４への移送を容易にすると共に落下を防止用の俎板の役目と切断用チェンソー４ａのガイドカバーを保持するものである。
【００１７】
そして、横方向切断用チェンソー３ａ及び縦方向切断用チェンソー４ａは高速回転させて乾燥圧縮成形牧草塊Ａの横方向及び縦方向を切断するものであり、加熱防止のために圧縮エア吹き付けライン手段１４を配設してエアを噴射させると共に、給油ライン手段１５を並設して一定間隔で給油を制御装置を用いて行うものであり、尚、本発明の乾燥牧草入り配合飼料製造システムは切り粉が粉塵のように立ち昇ることから全体を夫々ケーシングで内包させると共に、切粉ダスト吸引捕集バッグフィルター１６ａを設けた切粉ダスト吸引捕集ライン手段１６を配設しているものである。
【００１８】
更には、掻き上げ手段５は縦方向切断手段４で切断された乾燥圧縮成形牧草小塊Ａａを崩しながら掻き上げるもので、複数の掻き上げ用回転軸５ｂを横設し、該掻き上げ用回転軸５ｂに棒状の複数の掻き上げ部５ａを突出させ、該掻き上げ部５ａを複数の縦方向切断用チェンソー４ａの間に位置させて回転させ下方向から上方向に乾燥圧縮成形牧草小塊Ａａを崩しながら掻き上げるもので、掻き上げられ崩された乾燥圧縮成形牧草小塊Ａａは後述する解し手段６の上に落下させるものである。
【００１９】
次に、解し手段６は乾燥圧縮成形牧草小塊Ａａより巾狭の間隔に多数の解し用回転軸６ｂを略等間隔に横設し、多数の解し用回転軸６ｂには多数の引っ掛け杆状の解し機６ａを突出させて交互に反対方向に回転させ乾燥圧縮成形牧草小塊Ａａを細断乾燥牧草Ａｂに解しているもので、解し機６ａで解された細断乾燥牧草Ａｂは多数の解し用回転軸６ｂの間から、下方に配設された後述する乾燥牧草移送コンベア７の上面に落下するものである。
【００２０】
次いで、乾燥牧草移送コンベア７は解し手段６で解した細断乾燥牧草Ａｂを後述する自動供給手段８に移送するもので、細断乾燥牧草Ａｂを洩れなく上方に移送できるものなら構わないものである。
【００２１】
更に、自動供給手段８は供給ホッパ８ａを備え、乾燥牧草移送コンベア７で移送される細断乾燥牧草Ａｂの量を定量自動供給すると乾燥牧草用フィーダー８ｂで送られ、更に、後述する濃厚飼料と共に混合される混合手段１０に混合用コンベア１０ａで移送させるものである。
【００２２】
そして、濃厚飼料供給手段９は自動供給手段８で供給される定量の細断乾燥牧草Ａｂに穀類である濃厚飼料を混入させるものであり、予め、濃厚飼料貯槽９ａに充填された濃厚飼料を一定量づつ下方に備えた濃厚飼料フィーダー９ｂで後述する細断乾燥牧草Ａｂと混合される混合手段１０に移送させるものである。
【００２３】
更には、混合手段１０は混合用コンベア１０ａとドラムコーター１０ｂとから成り、混合用コンベア１０ａは濃厚飼料供給手段９の濃厚飼料フィーダー９ｂから供給される濃厚飼料と、自動供給手段８の乾燥牧草用フィーダー８ｂで送られる定量の細断乾燥牧草Ａｂとを同時に受け取り上方に備えた二方切換ダンパー１０ｃを介してドラムコーター１０ｂに投入されるものであり、ドラムコーター１０ｂは回転することにより濃厚飼料と細断乾燥牧草Ａｂとをむら無く混合させるものである。
【００２４】
更に、コーティング手段１１は飼料銘柄ごとに予め定められた家畜の嗜好に合う糖蜜等の添加材をタンク１１ａに貯留させており、該タンク１１ａからポンプ１１ｂを介装させた糖蜜供給ライン１１ｃにより混合手段１０に接続して糖蜜等の添加材を噴霧して混合細断乾燥牧草入り配合飼料にコーティングするものである。
【００２５】
そして、乾燥牧草入り配合飼料収納手段１２は混合手段１０から排出される細断乾燥牧草入り配合飼料を上方に配設したホッパー１２ｂで受けて二方切換ダンパー１２ｃを介してトランスバッグ１２ａに収納させるものであり、実施例では２つのトランスバッグ１２ａを台秤１２ｄの上に載置して重量を確認しながら、２つのトランスバッグ１２ａに交互に収納し、トランスバッグ１２ａに収納された細断乾燥牧草入り配合飼料は畜産家が入手して、封を切るだけでそのまま家畜に給与できるものである。
【００２６】
更に、本発明の細断乾燥牧草入り配合飼料製造方法における乾燥圧縮成形牧草塊Ａの搬送用コンベア乗載工程は、搬送用コンベア１に牧草を乾燥させて、その乾燥牧草の茎軸方向を略揃えて立方体状に圧縮成型し、略長さを揃えて切断した複数の乾燥圧縮成形牧草塊Ａを乗載させるものであるが、夫々の乾燥圧縮成形牧草塊Ａは茎軸方向を直角に且つ搬送方向にして一列に乗載させるものである。
【００２７】
そして、縦方向割目付け工程は搬送用コンベア乗載工程で乗載させた乾燥圧縮成形牧草塊Ａの上方から縦方向に所定間隔に割れ目を入れるものであり、例えば、４３０ｍｍ×３００ｍｍ×５６０ｍｍ程度の立方体状に形成されている乾燥圧縮成形牧草塊Ａの前後方向に３０ｍｍ程度の間隔で割れ目を入れるものである。
【００２８】
次に、横方向切断工程は縦方向割目付け工程で、例えば、縦方向に３０ｍｍ程度の間隔で割れ目を入れた４３０ｍｍ×３００ｍｍ×５６０ｍｍ程度の乾燥圧縮成形牧草塊Ａの横方向を略等間隔に例えば三等分に切断するものである。
【００２９】
次いで、縦方向切断工程は横方向切断工程で切断した乾燥圧縮成形牧草塊Ａを搬送用コンベア１の搬送方向に沿った縦方向を複数に細断するものであり、この工程までに乾燥圧縮成形牧草塊Ａは割れ目、横切り目により略中ブロック状化し、更に細断されるので乾燥圧縮成形牧草小塊Ａａに切断された状態と成っているものである。
【００３０】
更に、掻き上げ工程とは縦方向切断工程で略小ブロック状に切断された状態の乾燥圧縮成形牧草小塊Ａａを崩しながら掻き上げるものである。
【００３１】
更には、解す工程は掻き上げ工程で崩しながら掻き上げた乾燥圧縮成形牧草小塊Ａａを細断乾燥牧草Ａｂに解すものであり、略均等の長さに切断された細断乾燥牧草Ａｂになるものである。
【００３２】
そして、自動供給工程は細断乾燥牧草Ａｂに解す工程で解した細断乾燥牧草Ａｂを銘柄により予め定めた量を連続供給するものである。
【００３３】
更に、濃厚飼料供給工程は自動供給工程で予め定めた量の細断乾燥牧草Ａｂに一定量の穀類である濃厚飼料を混入させるものである。
【００３４】
更には、混合コーティング工程は濃厚飼料供給工程で供給した濃厚飼料と自動供給工程で定量供給される細断乾燥牧草Ａｂとを混合させると共に、混合中に飼料銘柄ごとに予め定められた牛の嗜好に合わせた糖蜜等の添加材を噴霧してコーティングするものである。
【００３５】
次に、細断乾燥牧草入り配合飼料収納工程は混合コーティング工程で一定量の濃厚飼料と一定量の細断乾燥牧草Ａｂとを混合させた細断乾燥牧草入り配合飼料をトランスバッグ１２ａに収納させるものである。
【産業上の利用可能性】
【００３６】
本発明の細断乾燥牧草入り配合飼料製造システムと細断乾燥牧草入り配合飼料製造方法は、乾燥牧草入り配合飼料生産工場で乾燥圧縮成形牧草塊を適当な長さに切断して濃厚飼料を混入混合させ、更に、糖蜜等の添加材をコーティングした理想配合の細断乾燥牧草入り配合飼料をトランスバッグに収納させて畜産家に提供できることから、畜産家の給餌作業の合理化、飼育の効率化が可能となるものである。
【図面の簡単な説明】
【００３７】
【図１】図１は本発明の細断乾燥牧草入り配合飼料製造システムと細断乾燥牧草入り配合飼料製造方法の実施例の概要を説明するための概要説明図である。
【図２】図２は本発明の細断乾燥牧草入り配合飼料製造システムと細断乾燥牧草入り配合飼料製造方法の実施例の縦方向割目付け手段及び縦方向割目付け工程を説明するための概要説明図である。
【図３】図３は本発明の細断乾燥牧草入り配合飼料製造システムと細断乾燥牧草入り配合飼料製造方法の実施例の横方向切断手段及び横方向切断工程を説明するための概要説明図である。
【図４】図４は本発明の細断乾燥牧草入り配合飼料製造システムと細断乾燥牧草入り配合飼料製造方法の実施例の掻き上げ手段と解し手段及び掻き上げ工程と解す工程とを説明するための概要説明図である。
【符号の説明】
【００３８】
Ａ      乾燥圧縮成形牧草塊
Ａａ    乾燥圧縮成形牧草小塊
Ａｂ    細断乾燥牧草
１      搬送用コンベア
２      縦方向割目付け手段
２ａ    高速エアシリンダ
２ｂ    縦割目付け用突棒
３      横方向切断手段
３ａ    横方向切断用チェンソー
３ｂ    横方向切断用駆動用モーター
４      縦方向切断手段
４ａ    縦方向切断用チェンソー
４ｂ    縦方向切断用駆動モーター
４ｃ    エンドレスベルト
４ｄ    上方回転軸
４ｅ    下方回転軸
５      掻き上げ手段
５ａ    掻き上げ部
５ｂ    掻き上げ用回転軸
６      解し手段
６ａ    解し機
６ｂ    解し用回転軸
７      乾燥牧草移送コンベア
８      自動供給手段
８ａ    供給ホッパ
８ｂ    乾燥牧草用フィーダー    
９      濃厚飼料供給手段
９ａ    濃厚飼料貯槽
９ｂ    濃厚飼料フィーダー
１０    混合手段
１０ａ  混合用コンベア
１０ｂ  ドラムコーター
１０ｃ  二方切換ダンパー
１１    コーティング手段
１１ａ  タンク
１１ｂ  ポンプ
１１ｃ  糖蜜供給ライン
１２    細断乾燥牧草入り配合飼料収納手段
１２ａ  トランスバッグ
１２ｂ  ホッパー
１２ｃ  二方切換ダンパー
１２ｄ  台秤
１３    滑り台
１４    エア吹き付けライン手段
１５    給油ライン手段
【図１】
2005295823.tif 000003
【図２】
2005295823.tif 000004
【図３】
2005295823.tif 000005
【図４】
2005295823.tif 000006